(57)【特許請求の範囲】
【請求項１】
プーリ溝が外周面にそれぞれ形成され、互いの軸間距離が固定された第１プーリ、第２プーリ及び第３プーリに対して、周方向に伸張可能な伝動ベルトを取り付ける際に、上記第１プーリ及び第２プーリに上記伝動ベルトを掛け渡した状態で、該伝動ベルトを伸張させて上記第３プーリに掛け渡すために該第３プーリに装着するベルト取付治具であって、
上記第３プーリは、外周部よりも内側にプーリ軸方向に凹んでプーリ幅よりも薄く形成された凹部及び該凹部の底部に形成された貫通孔を有しており、
上記第３プーリの側面側に装着されて上記凹部に収容される治具本体部と、
上記治具本体部を上記貫通孔を介して上記第３プーリに固定する治具固定部と、
上記治具本体部に隣り合うように設けられ、上記伝動ベルトの内周面を上記第３プーリの側方で受けるプーリ軸方向に平行なベルト受け面を有するベルト受け部とを備え、
上記ベルト受け面は、上記第３プーリの外周面と一致する部分を有し、
上記ベルト受け面の上記第３プーリの外周面に一致する部分には、上記伝動ベルトの一方の側面を受けて該伝動ベルトを上記第３プーリ側に寄せるベルト寄せ部が設けられていることを特徴とするベルト取付治具。
【請求項２】
請求項１に記載されたベルト取付治具において、
上記治具固定部は、上記治具本体部からプーリ軸方向に突出して上記第３プーリの貫通孔に挿通する第１棒片と、該第１棒片から上記第３プーリをベルト取付時に回転させる方向と反対側に屈曲する第２棒片とによりＬ字状に形成されていることを特徴とするベルト取付治具。
【請求項３】
請求項２に記載されたベルト取付治具において、
上記第２棒片は、上記第１棒片から離れる方向に向けて先細りのテーパー状に形成されていることを特徴とするベルト取付治具。
【請求項４】
請求項１〜３の何れか１つに記載されたベルト取付治具において、
上記ベルト寄せ部は、上記伝動ベルトの一方の側面を受ける面がプーリ軸方向に対して斜めに形成されていることを特徴とするベルト取付治具。
【請求項５】
請求項１〜４の何れか１つに記載されたベルト取付治具において、
上記ベルト受け面の一部は、上記第３プーリの回転軸の周方向に沿うように設けられていることを特徴とするベルト取付治具。
【発明の詳細な説明】
【技術分野】
【０００１】
本発明は、ベルト取付治具に関し、特に、伝動ベルトをプーリに取り付けるためのベルト取付治具に関するものである。
【背景技術】
【０００２】
伸張可能な低弾性の伝動ベルトは、従来より自動車用エンジンに使用されている。この低弾性の伝動ベルトは、自動車用エンジンにおいて、例えば、クランクプーリ及びエアコン用プーリの間、クランクプーリ及びウォーターポンプ用プーリの間などの２軸レイアウトのプーリで多く採用されている。ここで、２軸レイアウトのプーリに低弾性の伝動ベルトを取り付ける際には、一方のプーリに伝動ベルトを巻き掛け、他方のプーリに装着したベルト取付治具を用いて、他方のプーリの外周面に伝動ベルトを巻き掛けることになる。
【０００３】
ところで、例えば、クランクプーリ、エアコン用プーリ及びウォーターポンプ用プーリの間などの３軸レイアウトのプーリに低弾性の伝動ベルトを取り付ける場合、２軸レイアウトのプーリの場合よりも各プーリへのベルト巻き付き角度が小さくなる。これにより、３軸レイアウトのプーリの場合には、低弾性の伝動ベルトの張力の合力と釣り合う力の方向がプーリの周方向に沿って大きく変化することになるので、低弾性の伝動ベルトを伸張させる力の作用効率が低下してしまう。
【０００４】
そこで、特許文献１には、互いの軸間距離が固定された３つのプーリのうち、最後に残したプーリ（以下、「最後のプーリ」とも称する）の一方の側面側に固定される本体部に所定形状のベルト保持部を設けたベルト取付治具が提案されている。ここで、ベルト保持部は、最後のプーリのプーリ中心側からプーリ外径側へ最後のプーリの回転方向側に凸状となるようにインボリュート曲線の曲面状に延び、プーリ外径側の端部で最後のプーリの外周面の接線方向を向くように構成されている。
【先行技術文献】
【特許文献】
【０００５】
【特許文献１】特開２０１４−２９１９１号公報
【発明の概要】
【発明が解決しようとする課題】
【０００６】
しかしながら、特許文献１に開示されたベルト取付治具では、最後のプーリにおいて、伝動ベルトをプーリ側に寄せることが難しいので、最後のプーリに伝動ベルトを取り付けられなかったり、取り付けられてもプーリの外周面に形成されたプーリ溝に伝動ベルトがずれて配置されたりするおそれがある。
【０００７】
本発明は、かかる点に鑑みてなされたものであり、その目的とするところは、３軸レイアウトのプーリに伸張可能な伝動ベルトを容易に取り付けることにある。
【課題を解決するための手段】
【０００８】
上記目的を達成するために、本発明は、ベルト受け面のプーリの外周面と一致する部分に伝動ベルトの一方の側面を受けて伝動ベルトをプーリ側に寄せるベルト寄せ部を設けるようにしたものである。
【０００９】
具体的に本発明に係るベルト取付治具は、プーリ溝が外周面にそれぞれ形成され、互いの軸間距離が固定された第１プーリ、第２プーリ及び第３プーリに対して、周方向に伸張可能な伝動ベルトを取り付ける際に、上記第１プーリ及び第２プーリに上記伝動ベルトを掛け渡した状態で、該伝動ベルトを伸張させて上記第３プーリに掛け渡すために該第３プーリに装着するベルト取付治具であって、上記第３プーリは、外周部よりも内側にプーリ軸方向に凹んでプーリ幅よりも薄く形成された凹部及び該凹部の底部に形成された貫通孔を有しており、上記第３プーリの側面側に装着されて上記凹部に収容される治具本体部と、上記治具本体部を上記貫通孔を介して上記第３プーリに固定する治具固定部と、上記治具本体部に隣り合うように設けられ、上記伝動ベルトの内周面を上記第３プーリの側方で受けるプーリ軸方向に平行なベルト受け面を有するベルト受け部とを備え、上記ベルト受け面は、上記第３プーリの外周面と一致する部分を有し、上記ベルト受け面の上記第３プーリの外周面に一致する部分には、上記伝動ベルトの一方の側面を受けて該伝動ベルトを上記第３プーリ側に寄せるベルト寄せ部が設けられていることを特徴とする。
【００１０】
上記の構成によれば、３軸レイアウトのプーリは、互いの軸間距離が固定された第１プーリ、第２プーリ及び第３プーリにより構成される。そして、これらの３軸レイアウトのプーリに対して、周方向に伸張可能な伝動ベルトを取り付ける際には、第１プーリ及び第２プーリに伝動ベルトを掛け渡した状態で、第３プーリに装着したベルト取付治具を用いて伝動ベルトを伸張させて第３プーリに掛け渡すことになる。ここで、ベルト取付治具は、第３プーリの側面側に装着されると共に第３プーリの凹部に収容される治具本体部を備えているので、第３プーリの凹部に治具本体部を収容した状態で第３プーリの側面側に装着される。そして、ベルト取付治具は、治具本体部に隣り合うように設けられたベルト受け部を備え、そのベルト受け部は、伝動ベルトの内周面を第３プーリの側方で受けるプーリ軸方向に平行なベルト受け面を有している。そのため、伝動ベルトを伸張させて第３プーリに掛け渡す際には、第１プーリ及び第２プーリに掛け渡した伝動ベルトの内周面を第３プーリの側面側に装着されたベルト取付治具のベルト受け部のベルト受け面で受けるように伝動ベルトをベルト取付治具にセットする。そして、ベルト取付治具は、治具本体部を第３プーリの貫通孔を介して第３プーリに固定する治具固定部を備えているので、第３プーリを回転させることにより、伝動ベルトがセットされたベルト取付治具は、第３プーリと共に回転することになる。さらに、ベルト取付治具を構成するベルト受け部のベルト受け面の第３プーリの外周面に一致する部分には、伝動ベルトの一方の側面を受けて伝動ベルトを第３プーリ側に寄せるベルト寄せ部が設けられている。そのため、ベルト取付治具により第３プーリの側方に配置された伝動ベルトは、第３プーリを回転させることにより、その一方の側面がベルト寄せ部に当たって第３プーリ側に寄るので、第３プーリの外周面のプーリ溝に伝動ベルトが嵌合することになる。なお、伝動ベルトは、第１プーリ及び第２プーリに掛け渡し、第３プーリの側面側に装着したベルト取付治具にセットする際に、第１プーリ及び第２プーリの各外周面のプーリ溝に嵌合されている。これにより、第１プーリ及び第２プーリに掛け渡した伝動ベルトを第３プーリの側面側に装着したベルト取付治具にセットして、第３プーリを回転させるだけで伝動ベルトが第３プーリに取り付けられるので、３軸レイアウトのプーリに伸張可能な伝動ベルトを容易に取り付けることができる。
【００１１】
上記治具固定部は、上記治具本体部からプーリ軸方向に突出して上記第３プーリの貫通孔に挿通する第１棒片と、該第１棒片から上記第３プーリをベルト取付時に回転させる方向と反対側に屈曲する第２棒片とによりＬ字状に形成されていてもよい。
【００１２】
上記の構成によれば、治具固定部が、治具本体部からプーリ軸方向に突出する第１棒片と、その第１棒片から屈曲する第２棒片とによりＬ字状に形成されているので、Ｌ字状の治具固定部が第３プーリの貫通孔に引っかかることにより、ベルト取付治具が第３プーリに固定される。
【００１３】
上記第２棒片は、上記第１棒片から離れる方向に向けて先細りのテーパー状に形成されていてもよい。
【００１４】
上記の構成によれば、第２棒片が第１棒片から離れる方向に向けて先細りのテーパー状に形成されているので、第３プーリを回転させることにより、第２棒片が第３プーリの貫通孔の縁に強く保持され、第３プーリにおけるベルト取付治具のがたつきが抑制される。
【００１５】
上記ベルト寄せ部は、上記伝動ベルトの一方の側面を受ける面がプーリ軸方向に対して斜めに形成されていてもよい。
【００１６】
上記の構成によれば、ベルト寄せ部において、伝動ベルトの一方の側面を受ける面がプーリ軸方向に対して斜めに形成されているので、伝動ベルトが第３プーリ側に滑らかに寄ることになり、第３プーリの外周面に形成されたプーリ溝に伝動ベルトが容易に嵌合する。
【００１７】
上記ベルト受け面の一部は、上記第３プーリの回転軸の周方向に沿うように設けられていてもよい。
【００１８】
上記の構成によれば、ベルト受け面の一部が第３プーリの回転軸の周方向に沿うように設けられているので、ベルト受け面の長さが、例えば、第３プーリの外周部に沿って設けられた場合よりも短くなる。そのため、第１プーリ及び第２プーリに掛け渡した伝動ベルトを第３プーリの側面側に装着されたベルト取付治具にセットする際の巻き掛け作業が容易になる。
【発明の効果】
【００１９】
本発明によれば、ベルト受け面のプーリの外周面と一致する部分に伝動ベルトの一方の側面を受けて伝動ベルトをプーリ側に寄せるベルト寄せ部が設けられているので、３軸レイアウトのプーリに伸張可能な伝動ベルトを容易に取り付けることができる。
【図面の簡単な説明】
【００２０】
【図１】実施形態１に係るベルト取付治具の斜視図である。
【図２】実施形態１に係るベルト取付治具の他の斜視図である。
【図３】実施形態１に係るベルト取付治具の側面図である。
【図４】実施形態１に係るベルト取付治具をプーリに装着した状態を示す平面図である。
【図５】実施形態１に係るベルト取付治具をプーリに装着した状態を示す他の平面図である。
【図６】実施形態１に係るベルト取付治具を用いて３軸レイアウトのプーリに伝動ベルトを取り付ける工程を連続的に示す第１の説明図である。
【図７】実施形態１に係るベルト取付治具を用いて３軸レイアウトのプーリに伝動ベルトを取り付ける工程を連続的に示す第２の説明図である。
【図８】実施形態１に係るベルト取付治具を用いて３軸レイアウトのプーリに伝動ベルトを取り付ける工程を連続的に示す第３の説明図である。
【図９】実施形態１に係るベルト取付治具を用いて３軸レイアウトのプーリに伝動ベルトを取り付ける工程を連続的に示す第４の説明図である。
【図１０】実施形態１に係るベルト取付治具を用いて３軸レイアウトのプーリに伝動ベルトを取り付ける工程を連続的に示す第５の説明図である。
【図１１】実施形態１に係るベルト取付治具を用いて３軸レイアウトのプーリに伝動ベルトを取り付ける工程を連続的に示す第６の説明図である。
【図１２】実施形態１に係るベルト取付治具を用いて３軸レイアウトのプーリに伝動ベルトを取り付ける際に伝動ベルトをプーリ側に寄せる様子を示す説明図である。
【図１３】実施形態２に係るベルト取付治具の斜視図である。
【図１４】実施形態２に係るベルト取付治具の他の斜視図である。
【図１５】実施形態２に係るベルト取付治具の側面図である。
【発明を実施するための形態】
【００２１】
以下、本発明の実施形態を図面に基づいて詳細に説明する。なお、本発明は、以下の各実施形態に限定されるものではない。
【００２２】
《発明の実施形態１》
図１は、本実施形態のベルト取付治具３０ａの斜視図である。また、図２は、ベルト取付治具３０ａの他の斜視図である。また、図３は、ベルト取付治具３０ａの側面図である。また、図４は、クランクプーリ５に装着されたベルト取付治具３０ａをクランクプーリ５の手前側から見た平面図である。また、図５は、クランクプーリ５に装着されたベルト取付治具３０ａをクランクプーリ５の奥側から見た平面図である。また、図６〜図１１は、ベルト取付治具３０ａを用いて３軸レイアウトのプーリに伝動ベルトＢを取り付ける工程を連続的に示す第１〜第６の説明図である。また、図１２は、ベルト取付治具３０ａを用いて３軸レイアウトのプーリに伝動ベルトＢを取り付ける際に伝動ベルトＢをプーリ側に寄せる様子を示す説明図である。
【００２３】
まず、ベルト取付治具３０ａを用いて３軸レイアウトのプーリに取り付ける伝動ベルトＢについて説明する。
【００２４】
伝動ベルトＢは、例えば、周方向に伸張可能な低弾性の環状のＶリブドベルトである。ここで、伝動ベルトＢは、低弾性の心線が埋め込んで設けられた平ベルト状のベルト本体と、そのベルト本体の内周面に周方向に延びるように設けられた複数（例えば、４本）のＶリブとを備えている。
【００２５】
次に、ベルト取付治具３０ａを用いて伝動ベルトＢを取り付ける３軸レイアウトのプーリについて説明する。
【００２６】
３軸レイアウトのプーリは、図６〜図１１に示すように、第１プーリとして設けられたエアコン用プーリ１と、第２プーリとして設けられたウォーターポンプ用プーリ２と、第３プーリとして設けられたクランクプーリ５とにより構成されている。ここで、エアコン用プーリ１、ウォーターポンプ用プーリ２及びクランクプーリ５は、互いの軸間距離が固定されている。また、クランクプーリ５（の後述する手前側プーリ３）には、図６〜図１１に示すように、ベルト取付治具３０ａが装着される。
【００２７】
クランクプーリ５は、図４及び図１２に示すように、相対的に小径に設けられた手前側プーリ３と、相対的に大径に設けられた奥側プーリ４とを備えたいわゆる２段プーリである。
【００２８】
手前側プーリ３は、図４に示すように、その外周部よりも内側にプーリ幅よりも薄く形成された凹部Ｃと、回転軸に円筒状に設けられたボス部６と、凹部Ｃの底部においてボス部６の周囲に設けられた複数（例えば、４つ）の貫通孔Ｈとを有している。ここで、凹部Ｃは、その底部が平面視で円環状に形成されている。また、手前側プーリ３の外周面には、図１２に示すように、伝動ベルトＢの内周面に設けられた複数のＶリブに嵌合する複数（例えば、４本）のプーリ溝Ｇが設けられている。また、また、手前側プーリ３の外周面の手前側の端部には、図１２に示すように、複数のプーリ溝Ｇの群に隣り合うようにフランジが環状に設けられている。なお、手前側プーリ３は、そのボス部６にエンジン本体のクランク軸が挿入され、センターボルト（不図示）によりクランク軸に固定されている。
【００２９】
奥側プーリ４は、エンジン本体と手前側プーリ３との間に挟まれ、手前側プーリ３と一体に設けられている。また、奥側プーリ４の外周面には、図１２に示すように、伝動ベルトの内周面に設けられた複数のＶリブに嵌合する複数（例えば、５つ）のプーリ溝が設けられている。また、奥側プーリ４の外周面の手前側の端部には、図１２に示すように、複数のプーリ溝の群に隣り合うようにフランジが環状に設けられている。
【００３０】
エアコン用プーリ１は、その外周面に、伝動ベルトＢの内周面に設けられた複数のＶリブに嵌合する複数（例えば、４本）のプーリ溝が設けられている。ここで、エアコン用プーリ１は、コンプレッサーの入力軸に固定されている。
【００３１】
ウォーターポンプ用プーリ２は、その外周面に、伝動ベルトＢの内周面に設けられた複数のＶリブに嵌合する複数（例えば、４本）のプーリ溝が設けられている。ここで、ウォーターポンプ用プーリ２は、ウォーターポンプの入力軸に固定されている。
【００３２】
次に、ベルト取付治具３０ａについて説明する。
【００３３】
ベルト取付治具３０ａは、図１〜図３に示すように、互いに一体に形成された治具本体部１０、治具固定部１５及びベルト受け部２０ａを備えている。
【００３４】
治具本体部１０は、クランクプーリ５の手前側プーリ３の側面側に装着されて手前側プーリ３の凹部Ｃに嵌合状態で収容されるように形成されている。なお、嵌合部分において、治具本体部１０と凹部Ｃの内壁との間隙は、例えば、０．３ｍｍ〜１．０ｍｍである。また、治具本体部１０は、図１、図２及び図４に示すように、手前側プーリ３のボス部６に外嵌される貫通孔１１と、凹状に形成された肉抜き部１２ａ及び１２ｂとを備えている。
【００３５】
治具固定部１５は、手前側プーリ３の１つの貫通孔Ｈを介して手前側プーリ３に固定するように形成されている。また、治具固定部１５は、図１及び図３に示すように、治具本体部１０からプーリ軸方向に突出するように設けられた第１棒片１６と、第１棒片１６の突出端部から直角に屈曲するように設けられた第２棒片１７とによりＬ字状に形成されている。ここで、第１棒片１６は、手前側プーリ３の貫通孔Ｈに挿通するように形成されている。また、第２棒片１７が第１棒片１６から屈曲する方向は、手前側プーリ３をベルト取付時に回転させる方向と反対側である。さらに、第２棒片１７は、図３に示すように、その治具本体部１０側の面が傾斜することにより、第１棒片１６から離れる方向に向けて先細りのテーパー状に形成されている。
【００３６】
ベルト受け部２０ａは、図１〜図３に示すように、治具本体部１０に隣り合うように設けられている。また、ベルト受け部２０ａは、図２に示すように、手前側プーリ３のボス部６に外嵌される貫通孔１１と、凹状に形成された肉抜き部２１ａ及び２２ｂとを備えている。また、ベルト受け部２０ａは、図１及び図２に示すように、伝動ベルトＢの内周面を手前側プーリ３の側方で受けるプーリ軸方向に平行なベルト受け面２２（図中ハッチング部分）を有している。
【００３７】
ベルト受け面２２は、手前側プーリ３の外周面と一致する部分を有している。ここで、ベルト受け面２２の手前側プーリ３の外周面に一致する部分には、伝動ベルトＢの一方の側面を受けて伝動ベルトＢを手前側プーリ３側に寄せるベルト寄せ部２３ａが設けられている。また、ベルト受け面２２の一部は、図２に示すように、手前側プーリ３の回転軸（貫通孔１１）の周方向に沿うように設けられている。
【００３８】
ベルト寄せ部２３ａは、図１、図３及び図１２に示すように、伝動ベルトＢの一方の側面を受ける面がプーリ軸方向に対して斜めに形成されている。
【００３９】
次に、エアコン用プーリ１、ウォーターポンプ用プーリ２及びクランクプーリ５（手前側プーリ３）の３軸レイアウトのプーリに対して、ベルト取付治具３０ａを用いて伝動ベルトＢを取り付ける方法について説明する。
【００４０】
まず、エアコン用プーリ１及びウォーターポンプ用プーリ２の各外周面の４本のプーリ溝に伝動ベルトＢの内周面の４本のＶリブが嵌合するように、エアコン用プーリ１及びウォーターポンプ用プーリ２に伝動ベルトＢを掛け渡した後に、クランクプーリ５の手前側プーリ３の側面側にベルト取付治具３０ａを装着する。ここで、ベルト取付治具３０ａを手前側プーリ３に装着する際には、ベルト取付治具３０ａのＬ字状の治具固定部１５を手前側プーリ３の１つの貫通孔Ｈに挿通した後に、ベルト取付治具３０ａを少し回転させることにより、図４及び図５に示すように、手前側プーリ３の１つの貫通孔Ｈの縁に治具固定部１５を引っ掛ける。なお、本実施形態では、エアコン用プーリ１及びウォーターポンプ用プーリ２に伝動ベルトＢを掛け渡した後に、手前側プーリ３にベルト取付治具３０ａを装着する方法を例示したが、手前側プーリ３にベルト取付治具３０ａを装着した後に、エアコン用プーリ１及びウォーターポンプ用プーリ２に伝動ベルトＢを掛け渡してもよい。
【００４１】
続いて、図６に示すように、手前側プーリ３に装着したベルト取付治具３０ａのベルト受け部２０ａのベルト受け面２２に対して、エアコン用プーリ１及びウォーターポンプ用プーリ２に掛け渡した伝動ベルトＢを掛け渡した後に、手前側プーリ３のセンターボルトの頭部にレンチＷを取り付ける。
【００４２】
その後、図７に示すように、レンチＷを用いて手前側プーリ３を回転させる。ここで、図８に示すように、伝動ベルトＢの一方の側面がベルト受け部２０ａのベルト寄せ部２３ａに当たるようになると、図１２に示すように、ベルト受け部２０ａのベルト受け面２２により手前側プーリ３の側方に配置されていた伝動ベルトＢが手前側プーリ３側に寄る。これにより、手前側プーリ３の外周面の４本のプーリ溝Ｇに伝動ベルトＢの内周面の４本のＶリブが嵌合する。また、図８に示す段階のように、ベルト取付治具３０ａに伝動ベルトＢの張力がかかるようになると、その張力によりベルト取付治具３０ａの治具本体部１０が手前側プーリ３の凹部Ｃの内壁に押し付けられて、ベルト取付治具３０ａが手前側プーリ３から離れ難くなる。
【００４３】
さらに、レンチＷを用いて手前側プーリ３を回転させることにより、図９及び図１０に示すように、手前側プーリ３の側方に配置されていた伝動ベルトＢを手前側プーリ３の外周面に順次移動させる。
【００４４】
最後に、図１１に示すように、手前側プーリ３の回転による手前側プーリ３の外周面への伝動ベルトＢの移動が完了すると、手前側プーリ３に装着されていたベルト取付治具３０ａは、伝動ベルトＢの張力を受けないので、束縛のない状態になる。そこで、手前側プーリ３のセンターボルトの頭部からレンチＷを取り外した後に、手前側プーリ３からベルト取付治具３０ａを取り外す。
【００４５】
以上のようにして、３軸レイアウトのプーリにベルト取付治具３０ａを用いて伝動ベルトＢを取り付けることができる。
【００４６】
以上説明したように、本実施形態のベルト取付治具３０ａによれば、３軸レイアウトのプーリは、互いの軸間距離が固定されたエアコン用プーリ１、ウォーターポンプ用プーリ２及びクランクプーリ５により構成される。そして、これらの３軸レイアウトのプーリに対して、周方向に伸張可能な伝動ベルトＢを取り付ける際には、エアコン用プーリ１及びウォーターポンプ用プーリ２に伝動ベルトＢを掛け渡した状態で、クランクプーリ５の手前側プーリ３に装着したベルト取付治具３０ａを用いて伝動ベルトＢを伸張させて手前側プーリ３に掛け渡すことになる。ここで、ベルト取付治具３０ａは、手前側プーリ３の側面側に装着されると共に手前側プーリ３の凹部Ｃに収容される治具本体部１０を備えているので、手前側プーリ３の凹部Ｃに治具本体部１０を収容した状態で手前側プーリ３の側面側に装着される。そして、ベルト取付治具３０ａは、治具本体部１０に隣り合うように設けられたベルト受け部２０ａを備え、そのベルト受け部２０ａは、伝動ベルトＢの内周面を手前側プーリ３の側方で受けるプーリ軸方向に平行なベルト受け面２２を有している。そのため、伝動ベルトＢを伸張させて手前側プーリ３に掛け渡す際には、エアコン用プーリ１及びウォーターポンプ用プーリ２に掛け渡した伝動ベルトＢの内周面を手前側プーリ３に装着されたベルト取付治具３０ａのベルト受け部２０ａのベルト受け面２２で受けるように伝動ベルトＢをベルト取付治具３０ａにセットする。そして、ベルト取付治具３０ａは、治具本体部１０を手前側プーリ３の貫通孔Ｈを介して手前側プーリ３に固定する治具固定部１５を備えているので、手前側プーリ３を回転させることにより、伝動ベルトＢがセットされたベルト取付治具３０ａは、手前側プーリ３と共に回転することになる。さらに、ベルト取付治具３０ａを構成するベルト受け部２０ａのベルト受け面２２の手前側プーリ３の外周面に一致する部分には、伝動ベルトＢの一方の側面を受けて伝動ベルトＢを手前側プーリ３側に寄せるベルト寄せ部２３ａが設けられている。そのため、ベルト取付治具３０ａにより手前側プーリ３の側方に配置された伝動ベルトＢは、手前側プーリ３を回転させることにより、その一方の側面がベルト寄せ部２３ａに当たって手前側プーリ３側に寄るので、手前側プーリ３の外周面のプーリ溝Ｇに伝動ベルトＢが嵌合することになる。なお、伝動ベルトＢは、エアコン用プーリ１及びウォーターポンプ用プーリ２に掛け渡し、手前側プーリ３に装着したベルト取付治具３０ａにセットする際に、エアコン用プーリ１及びウォーターポンプ用プーリ２の各外周面のプーリ溝に嵌合されている。これにより、エアコン用プーリ１及びウォーターポンプ用プーリ２に掛け渡した伝動ベルトＢを手前側プーリ３に装着したベルト取付治具３０ａにセットして、手前側プーリ３を回転させるだけで伝動ベルトＢが手前側プーリ３に取り付けられるので、エアコン用プーリ１、ウォーターポンプ用プーリ２及びクランクプーリ５の３軸レイアウトのプーリに伸張可能な伝動ベルトＢを容易に取り付けることができる。
【００４７】
また、本実施形態のベルト取付治具３０ａによれば、治具固定部１５が、治具本体部１０からプーリ軸方向に突出する第１棒片１６と、第１棒片１６から屈曲する第２棒片１７とによりＬ字状に形成されているので、Ｌ字状の治具固定部１５が手前側プーリ３の貫通孔Ｈに引っかかることにより、ベルト取付治具３０ａを手前側プーリ３に固定することができる。
【００４８】
また、本実施形態のベルト取付治具３０ａによれば、第２棒片１７が第１棒片１６から離れる方向に向けて先細りのテーパー状に形成されているので、手前側プーリ３を回転させることにより、第２棒片１７が手前側プーリ３の貫通孔Ｈの縁に強く保持され、手前側プーリ３におけるベルト取付治具３０ａのがたつきを抑制することができる。
【００４９】
また、本実施形態のベルト取付治具３０ａによれば、ベルト寄せ部２３ａにおいて、伝動ベルトＢの一方の側面を受ける面がプーリ軸方向に対して斜めに形成されているので、伝動ベルトＢが手前側プーリ３側に滑らかに寄ることになり、手前側プーリ３の外周面に形成されたプーリ溝Ｗに伝動ベルトＢを容易に嵌合させることができる。
【００５０】
また、本実施形態のベルト取付治具３０ａによれば、ベルト受け面２２の一部が手前側プーリ３の回転軸（貫通孔Ｈ）の周方向に沿うように設けられているので、ベルト受け面２２の長さが、例えば、手前側プーリ３の外周部に沿って設けられた場合よりも短くなる。そのため、エアコン用プーリ１及びウォーターポンプ用プーリ２に掛け渡した伝動ベルトＢを手前側プーリ３に装着されたベルト取付治具３０ａにセットする際の巻き掛け作業を容易にすることができる。
【００５１】
《発明の実施形態２》
図１３は、本実施形態のベルト取付治具３０ｂの斜視図である。また、図１４は、ベルト取付治具３０ｂの他の斜視図である。また、図１５は、ベルト取付治具３０ｂの側面図である。なお、以下の各実施形態において、図１〜図１２と同じ部分については同じ符号を付して、その詳細な説明を省略する。
【００５２】
上記実施形態１では、伝動ベルトＢの側面を受ける面がベルト受け面２２に対して直立したベルト寄せ部２３ａを備えたベルト取付治具３０ａを例示したが、本実施形態では、伝動ベルトＢの側面を受ける面がベルト受け面２２に対して傾斜したベルト寄せ部２３ｂを備えたベルト取付治具３０ｂを例示する。
【００５３】
ベルト取付治具３０ｂは、図１３〜図１５に示すように、互いに一体に形成された治具本体部１０、治具固定部１５及びベルト受け部２０ｂを備えている。
【００５４】
ベルト受け部２０ｂは、図１３〜図１５に示すように、ベルト寄せ部２３ｂの形状が部分的に異なっているだけで、その他の構成が上記実施形態１のベルト取付治具３０ａのベルト受け部２０ａと実質的に同じになっている。
【００５５】
ベルト寄せ部２３ｂは、図１３〜図１５に示すように、伝動ベルトＢの一方の側面を受ける面が平面視でプーリ軸方向に対して斜めに、且つその側面を受ける面がベルト受け面２２に対して第２棒片１７の第１棒片１６から屈曲する方向側に傾斜するように形成されている。
【００５６】
ここで、エアコン用プーリ１、ウォーターポンプ用プーリ２及びクランクプーリ５（手前側プーリ３）の３軸レイアウトのプーリに対して、ベルト取付治具３０ｂを用いて伝動ベルトＢを取り付ける方法については、上記実施形態１のベルト取付治具３０ａを用いて伝動ベルトＢを取り付ける方法と実質的に同じである。
【００５７】
以上説明したように、本実施形態のベルト取付治具３０ｂによれば、上記実施形態１と同様に、ベルト受け面２２の手前側プーリ３の外周面と一致する部分に伝動ベルトＢの一方の側面を受けて伝動ベルトＢを手前側プーリ３側に寄せるベルト寄せ部２３ｂが設けられているので、エアコン用プーリ１、ウォーターポンプ用プーリ２及びクランクプーリ５の３軸レイアウトのプーリに伸張可能な伝動ベルトＢを容易に取り付けることができる。
【００５８】
《その他の実施形態》
上記各実施形態では、３軸レイアウトのプーリに伝動ベルトを取り付けるベルト取付治具を例示したが、本発明は、３軸以外のレイアウトのプーリにも適用することができる。
【００５９】
また、上記各実施形態では、３軸レイアウトのプーリに取り付ける伝動ベルトとして、４本のＶリブを有するＶリブドベルトを例示したが、本発明は、４本以外のＶリブを有するＶリブドベルト、平ベルト、Ｖベルトなどの他の伝動ベルトにも適用することができる。
【産業上の利用可能性】
【００６０】
以上説明したように、本発明は、３軸レイアウトのプーリに伸張可能な伝動ベルトを容易に取り付けることができるので、自動車のエンジンルーム内に設けられる補機駆動ベルト伝動装置にについて有用である。
【符号の説明】
【００６１】
Ｂ      伝動ベルト
Ｃ      凹部
Ｇ      プーリ溝
Ｈ      貫通孔
１      エアコン用プーリ（第１プーリ）
２      ウォーターポンプ用プーリ（第２プーリ）
３      手前側プーリ（第３プーリ）
５      クランクプーリ（第３プーリ）
１０    治具本体部
１５    治具固定部
１６    第１棒片
１７    第２棒片
２０ａ，２０ｂ    ベルト受け部
２２    ベルト受け面
２３ａ，２３ｂ    ベルト寄せ部
３０ａ，３０ｂ    ベルト取付治具
【図１】
0006294201.tif 000002
【図２】
0006294201.tif 000003
【図３】
0006294201.tif 000004
【図４】
0006294201.tif 000005
【図５】
0006294201.tif 000006
【図６】
0006294201.tif 000007
【図７】
0006294201.tif 000008
【図８】
0006294201.tif 000009
【図９】
0006294201.tif 000010
【図１０】
0006294201.tif 000011
【図１１】
0006294201.tif 000012
【図１２】
0006294201.tif 000013
【図１３】
0006294201.tif 000014
【図１４】
0006294201.tif 000015
【図１５】
0006294201.tif 000016